(57)【要約】【課題】  運搬／搬入し易くするために分離した状態でも強度を落とすことなく、且つ機器の組み付けや配線作業を容易に行うことができるラックを提供する。【解決手段】  四角形の天枠２及び底枠３を有し、両者の４隅がそれぞれ支柱部材４で互いに連結された箱状の骨組み１を有し、４本の支柱部材４は、何れも同一部位で上下２部材に分離可能に形成され、分離することで骨組み１は天枠２を有する上ラック１ａと、底枠３を有する下ラック１ｂとに分離でき、上ラック１ａ及び下ラック１ｂの分離部には、それぞれ４本の補強バーである第１横バー５ａと梁部材６から成る組が枠状に掛け渡されて成り、そのうち前後に配置されたそれぞれ２本の梁部材６は着脱可能とした。【選択図】  図２
2020068236.tif 000002
【特許請求の範囲】
【請求項１】
四角形の底枠及び天枠を有し、両者の４隅が支柱部材で互いに連結された箱状の骨組みを有するラックであって、
４本の前記支柱部材は、何れも同一部位で上下２部材に分離可能に形成され、分離することで前記骨組みは、前記天枠を有する上ラックと、前記底枠を有する下ラックとに分離できると共に、
前記上ラック及び前記下ラックの分離部には、それぞれ４本の補強バーが枠状に掛け渡されて成り、そのうち前後に配置されたそれぞれ２本の補強バーは着脱可能であることを特徴とするラック。
【請求項２】
枠状に掛け渡された４本の前記補強バーのうち、左右２本の前記補強バーは、前記骨組みを構成する構造材であることを特徴とする請求項１記載のラック。
【請求項３】
前記下ラックは１７００〜２２００ｍｍの高さを有し、前記上ラックは７００〜１０００ｍｍの高さを有することを特徴とする請求項１又は２記載のラック。
【請求項４】
前記上ラック及び前記下ラックのうち少なくとも前記下ラックは、前記分離部とは異なる位置に、前後に配置された前記補強バーを仮止めする仮止部を有することを特徴とする請求項３記載のラック。
【発明の詳細な説明】
【技術分野】
【０００１】
本発明は、電気電子機器或いは情報通信機器等を収納するラックに関し、特に２メートルを超える高さを有するラックに関する。
【背景技術】
【０００２】
電気電子機器或いは情報通信機器等を収納するラックは、機器を収容する間口の幅が１９インチのものが普及している。このようなラックは、四角形の底枠、天枠を有して、双方の４隅を支柱部材で連結した骨組みを有し、この骨組みに側板や扉を取り付けて形成されている（例えば、特許文献１参照）。
一方で、近年機器の高集積化が進んでいるため、これまでは５０Ｕ（２２２２ｍｍ）以下の高さものが主流であったものが、内部幅は１９インチで変わらないが、５０Ｕを超える高さのラックが採用されはじめている。
【先行技術文献】
【特許文献】
【０００３】
【特許文献１】特開２０１１−１５５２１１号公報
【発明の概要】
【発明が解決しようとする課題】
【０００４】
上述したように、ラックの高さを大きくした場合、収容する機器を増やすことはできるが、強度の問題が発生するし、それ以外にも運搬や現場への搬入し辛さの問題も発生する。例えば、搬入口の高さを超える高さのものを搬入するには、横にしなければ搬入できないし、運搬に際しても従来の高さとは異なることで、空きスペースの増加等で運搬効率が低下する問題が発生する。
【０００５】
そのため、上下を分割して現場に運び込み、現場で組み立てる構造が考えられるが、分割した場合上部のラックからは底枠が失われ、下部のラックからは天枠が失われてしまうことで、単純に上下に分割しただけでは強度が不十分な状態となり、運搬中に外力で変形してしまう問題が発生する。
この問題の解決のために、天枠や底枠に代わる補強枠をラックの分離部に取り付ける構成が考えられるが、単純に取り付けただけでは補強枠が１９インチの間口を上下に分断してしまい、機器の組み付けや配線作業が面倒なものとなってしまう。
【０００６】
そこで、本発明はこのような問題点に鑑み、運搬／搬入し易くするために分離した状態でも強度を落とすことなく、且つ機器の組み付けや配線作業を容易に行うことができるラックを提供することを目的としている。
【課題を解決するための手段】
【０００７】
上記課題を解決する為に、請求項１の発明は、四角形の底枠及び天枠を有し、両者の４隅が支柱部材で互いに連結された箱状の骨組みを有するラックであって、４本の支柱部材は、何れも同一部位で上下２部材に分離可能に形成され、分離することで骨組みは、天枠を有する上ラックと、底枠を有する下ラックとに分離できると共に、上ラック及び下ラックの分離部には、それぞれ４本の補強バーが枠状に掛け渡されて成り、そのうち前後に配置されたそれぞれ２本の補強バーは着脱可能であることを特徴とする。
この構成によれば、分離する部位には補強バーが枠状に掛け渡されているため、ラックを上下分離しても強度低下を防止でき、運搬や搬入の際に外力が加わっても変形を防止できるし、搬入口より高さのあるラックであっても立てた状態で無理なく搬入できる。また、前後に配置した補強バーは着脱可能なため、上下ラックを連結した施工後は必要に応じて取り外せば良く、機器の組み付けや配線作業に支障を来すことはない。
【０００８】
請求項２の発明は、請求項１に記載の構成において、枠状に掛け渡された４本の補強バーのうち、左右２本の補強バーは、骨組みを構成する構造材であることを特徴とする。
この構成によれば、上下に分離する部位に枠状に設けられている補強バーのうち、左右に配置されている補強バーは構造材と兼用されているため、分離部の強度アップのために追加される部材は前後に配置される補強バーのみであり、少ない追加部材で補強できる。      
【０００９】
請求項３の発明は、請求項１又は２に記載の構成において、下ラックは１７００〜２２００ｍｍの高さを有し、上ラックは７００〜１０００ｍｍの高さを有することを特徴とする。
この構成によれば、下ラックは従来よりあるラックのサイズであるし、上ラックは下ラックに比べて十分低いため、運搬し易い。また上ラックは小さいため扱いやすく、下ラックの上に載せる作業がし易い。
【００１０】
請求項４の発明は、請求項３に記載の構成において、上ラック及び下ラックのうち少なくとも下ラックは、分離部とは異なる位置に、前後に配置された補強バーを仮止めする仮止部を有することを特徴とする。
この構成によれば、下ラックの前後に配置された補強バーは、分離部とは異なる位置に取り付けることができるため、施工後も保存でき、必要に応じて分離部に取り付けて補強バーとして使用できる。また、補強バーは仮止め状態としても、ラックの補強作用を持たせることができ、補強作用を継続させることができる。
【発明の効果】
【００１１】
本発明によれば、分離する部位には補強バーが枠状に掛け渡されているため、ラックを上下分離しても強度低下を防止でき、運搬や搬入の際に外力が加わっても変形を防止できるし、搬入口より高さのあるラックであっても立てた状態で無理なく搬入できる。また、前後に配置した補強バーは着脱可能なため、上下ラックを連結した施工後は必要に応じて取り外せば良く、機器の組み付けや配線作業に支障を来すことはない。
【図面の簡単な説明】
【００１２】
【図１】本発明に係るラックの一例を示し、骨組みを上下分離した斜視図である。
【図２】図１の状態において、前後に設けた梁部材を分離した説明図である。骨組みを上下連結して使用可能状態とした斜視図である。
【図３】上下連結して完成した骨組みの斜視図である。
【図４】梁部材を示し、（ａ）は前方から見た斜視図、（ｂ）は後方から見た斜視図である。
【図５】Ａ部拡大図であり、（ａ）は図２の角度から見た拡大図、（ｂ）は下方から見た斜視図である。
【図６】Ｂ部拡大図である。
【図７】Ｃ部拡大図である。
【図８】梁部材を取り付けた状態で一体化したラックの斜視図である。
【図９】一体化して梁部材の位置を変更したラックの斜視図である。
【発明を実施するための形態】
【００１３】
以下、本発明を具体化した実施の形態を、図面を参照して詳細に説明する。図１〜３は本発明に係るラックの一例を示す斜視図であり、主要部である骨組みを示している。図１は上部と下部を分離した状態、図２は分離した状態で更に梁部材を分離した状態、図３は上下一体化して不要となった梁部材を取り外した状態をそれぞれ示している。各図において、１ａはラックの骨組み１の上部を構成する上ラック、１ｂはラックの骨組み１の下部を構成する下ラックであり、ラックは上下分離可能に形成されている。
【００１４】
このように分離可能とすることで、搬入口の高さを超える（例えば２メートルを超える）高さを有する大型のラックであっても、設置現場に搬入するまでは分離した状態で運搬／搬入し、設置現場において連結することで、運搬／搬入操作が容易なものとなる。
また分離する際に、図３に示すように、ラックの高さＨが２８００ｍｍある場合は、下ラック１ｂの高さＨ１を２０００ｍｍ、上ラック１ａの高さＨ２を８００ｍｍとすることで、分離後の高さが従来のラックと同様となるため、運搬／搬入の操作を従来と同様に行うことが可能となる。
尚、連結した骨組み１に対して図示しない左右側板、前扉、後ろ扉、天板等を組み付けてラックは完成する。
【００１５】
骨組み１は、四角形の天枠２及び底枠３を有し、両者の４隅同士が支柱部材４（上支柱部材４ａ、下支柱部材４ｂ）で連結されて箱状に形成されている。連結して完成した骨組み１は、図３に示すように前後面は全体が開口形成され開放される。一方、左右側面は、適宜部位に補強のための横バー５が前後方向に掛け渡され、ここでは２本の横バー５（第１横バー５ａ，第２横バー５ｂ）が掛け渡されている。
【００１６】
上部の第１横バー５ａは支柱部材４が分離される位置に配置され、分離部を補強する補強バーを兼ねている。具体的に、第１横バー５ａは、上ラック１ａに取り付けられた上側第１バー５１と、下ラック１ｂに取り付けられた下側第１バー５２との２部材で構成され、骨組み１を上下分離すると、図１に示すように第１横バー５ａは分離されて、上ラック１ａと下ラック１ｂのそれぞれの分離部に配置された状態を維持する。
また、天枠２と支柱部材４の連結、底枠３と支柱部材４の連結、横バー５と支柱部材の連結は、ねじ止め或いは溶接により行われ、互いに固着されている。
【００１７】
そして、図１に示すように支柱部材４の分離部の前後部位に補強バーとしての梁部材６が上ラック１ａと下ラック１ｂの双方に配設されている。この梁部材６は、工場出荷時から取り付けられることで、第１横バー５ａとこの梁部材６とで四角形の枠体を形成して分離部の強度アップを図っている。
【００１８】
図４は梁部材６の拡大図であり、（ａ）は前方から見た斜視図、（ｂ）は後方から見た斜視図である。図４に示すように、梁部材６は短辺側をコ字状に折り曲げた棒状体であり、背面には補強板６ａが固着されて堅牢な構造となっている。
梁部材６の長手方向端部には、支柱部材４に連結するためのねじ挿通孔６ｂが複数穿設され、ねじにより着脱可能に締着固定される。
尚、上ラック１ａに取り付ける梁部材６と、下ラックに取り付けられる梁部材６とは、同一の形状であるが左右反転して取り付けられる。  
【００１９】
図５はＡ部の拡大図であり、梁部材６が取り付けられる上ラック１ａの支柱部材４の下端を拡大した図である。（ａ）は図２に示す角度から見た斜視図、（ｂ）は下方から見た斜視図を示している。図５に示すように、支柱部材４の下端には、梁部材６を連結するための取付片７が設けられている。
この取付片７は、ラックの内側に向けて突設され、左右に配置された取付片７，７同士が対向するように形成され、骨組み１の前後にそれぞれ一対設けられている。そして、ラック前面（或いは背面）に並行な面を有し、梁部材６のねじ挿通孔６ｂに対応するねじ孔７ａが設けられ、図示しないねじが双方に連通されて締結される。
【００２０】
こうして、梁部材６が支柱部材４に取り付けられると、骨組みを構成する第１横バー５ａの上側第１バー５１と共に四角形の枠体が形成され、上ラック１ａの分離部の強度低下を防止でき、変形が防止される。
【００２１】
図６はＢ部拡大図であり、下ラック１ｂの取付片７を示している。図６に示すように、下ラック１ｂの上端にも上ラック１ａと同様の取付片７が設けられており、下ラック１ｂの分離部の前後に梁部材６が取り付けられることで、骨組みを構成する第１横バー５ａの下側第１バー５２と共に四角形の枠体が形成され、下ラック１ｂの分離部の強度低下を防止でき、変形が防止される。
【００２２】
また、取付片７に隣接する部位に、上ラック１ａと下ラック１ｂとを連結するための連結片８が設けられている。連結片８は取付片７の端部を直角に折り曲げて形成され、取付片７と一体に形成されている。こうして、双方の強度アップを図っている。
そして、連結片８は連結対象の連結片８に密着するよう水平な連結面８ａを有し、ボルトを挿通する連結穴８ｂが穿設されている。
【００２３】
更に、図５（ｂ）、図６に示すように、連結面８ａは、支柱部材４の端部と面一に配置され、連結部全体が同一平面上に配置されるよう形成されている。連結する際は、上ラック１ａの連結面８ａと下ラック１ｂの連結面８ａとが密着し、双方の連結穴８ｂに図示しないボルトを連通し、ボルトとナットとで連結され一体化される。図８はこうして一体化した状態を示している。
一体化した後は梁部材６は必要なくなるため、機器組付けの邪魔になる場合は取り外せば良い。こうして、図３に示すラックの骨組み１を得る。
【００２４】
また図７はＣ部拡大図を示し、梁部材６を仮止めする仮止部９の拡大図を示し、図９はこの仮止部９に梁部材６を取り付けた骨組み１を示している。仮止部９は、取付片７と同一形状で形成され、ねじ孔９ａが形成されている。このように、下ラック１ｂには仮止部９が設けられており、分離部である上端に取り付けられている梁部材６を移動して仮止めを可能としている。
そして、骨組み１の角部を補強（ラックを補強）するために支柱部材４と底枠３との間に配置された角部材１１の端部に仮止部９は形成されており、堅牢に形成されている。そのため、この部位に梁部材６を取り付けても、補強作用を奏するよう構成されている。
【００２５】
このように、上ラック１ａと下ラック１ｂとを分離する部位には、補強バーとしての第１横バー５ａと梁部材６とが上ラック１ａと下ラック１ｂの双方に掛け渡されてそれぞれ枠体を形成しているため、ラックを上下分離しても強度低下を防止できる。よって、運搬や搬入の際に外力が加わっても変形を防止できるし、搬入口より高さのあるラックであっても立てた状態で無理なく搬入できる。また、前後に配置した梁部材６は着脱可能なため、上ラック１ａと下ラック１ｂを連結した施工後は必要に応じて取り外せば良く、機器の組み付けや配線作業に支障を来すことはない。
また、上下に分離する部位に枠状に設けられている補強バーのうち、左右に配置されている補強バーはラックの構造材である第１横バー５ａと兼用されているため、分離部の強度アップのために追加される部材は前後に配置される梁部材６のみであり、少ない追加部材で補強できる。
更に、下ラック１ｂの前後に配置された梁部材６は、分離部とは異なる仮止部９に取り付けることができるため施工後も保存でき、必要に応じて分離部に取り付けて補強バーとして使用できる。また、梁部材６は仮止め状態としても、ラックの補強作用を持たせることができ、補強作用を継続させることができる。
【００２６】
尚、上記実施形態では、下ラック１ｂを２０００ｍｍ、上ラック１ａを８００ｍｍとした例を説明したが、下ラック１ｂは１７００〜２２００ｍｍの高さとし、上ラック１ａは７００〜１０００ｍｍの高さとすることで、下ラック１ｂは従来よりあるラックのサイズに納めることができるし、上ラック１ａは下ラック１ｂの２分の１或いはそれ以下の高さにできるため、運搬し易く好ましい。
また、仮止部９を下ラック１ｂにのみ設けているが、上ラック１ａにも同様の仮止部を設けても良い。
更に、連結後は梁部材６を取り外すとしているが、機器の組み付け更にはその後の機器操作に支障がなければ取り外さなくても良い。
【符号の説明】
【００２７】
１・・骨組み、１ａ・・上ラック、１ｂ・・下ラック、２・・天枠、３・・底枠、４・・支柱部材、４ａ・・上支柱部材、４ｂ・・下支柱部材、５・・横バー、６・・梁部材（補強バー）、８・・連結片（連結部）、５１・・上側第１バー（補強バー）、５２・・下側第１バー（補強バー）。
【図１】
2020068236.tif 000003
【図２】
2020068236.tif 000004
【図３】
2020068236.tif 000005
【図４】
2020068236.tif 000006
【図５】
2020068236.tif 000007
【図６】
2020068236.tif 000008
【図７】
2020068236.tif 000009
【図８】
2020068236.tif 000010
【図９】
2020068236.tif 000011